(57)【要約】【課題】ユーザーが、進むべき経路を直感的に把握可能とすること。【解決手段】ナビゲーションシステム１は、進むべき経路の情報を、実在する施設を用いて、音声案内する。例えば、ナビゲーションシステム１は、進むべき経路の情報（例えば、交差点）を、実在する施設（例えば、店舗「ＡＢＣ電機」）を用いて、音声案内する。例えば、ナビゲーションシステム１は、「３００ｍ先のＡＢＣ電機の交差点を右に曲がって下さい。」と音声案内する。【選択図】図１
2019152469.tif 000002
【特許請求の範囲】
【請求項１】
進むべき経路の情報を、実在する施設を用いて、音声案内することを特徴とするナビゲーションシステム。
【請求項２】
前記施設は、店舗であることを特徴とする請求項１に記載のナビゲーションシステム。
【請求項３】
前記店舗を用いて、進むべき経路の情報を音声案内した場合、前記店舗の運営元から収益を徴収することを特徴とする請求項２に記載のナビゲーションシステム。
【請求項４】
進むべき経路が、交差点である場合、前記施設のある交差点を通過するように、音声案内することを特徴とする請求項１〜３のいずれか１項に記載のナビゲーションシステム。
【請求項５】
前記店舗を用いて、進むべき経路の情報を音声案内する場合、追加で、前記店舗の情報を案内することを特徴とする請求項２又は３に記載のナビゲーションシステム。
【請求項６】
前記店舗の情報を案内した場合、前記店舗の運営元から収益を追加徴収することを特徴とする請求項５に記載のナビゲーションシステム。
【請求項７】
前記店舗が利用された場合、前記店舗の運営元から収益を追加徴収することを特徴とする請求項６に記載のナビゲーションシステム。
【請求項８】
ＧＰＳに基づいて、利用された店舗を特定することを特徴とする請求項７に記載のナビゲーションシステム。
【請求項９】
進むべき経路の情報を、実在する施設を用いて、音声案内することを特徴とするナビゲーション方法。
【発明の詳細な説明】
【技術分野】
【０００１】
本発明は、ユーザーを目的地等へ案内するナビゲーションシステム、及び、ナビゲーション方法に関する。
【背景技術】
【０００２】
ユーザーを目的地等へ案内するナビゲーションシステムは、地図を表示し、例えば、「３００ｍ先の交差点を右に曲がって下さい。」等の音声案内を行う。ユーザーは、地図、及び、音声案内に従って、目的地等へ向かう。特許文献１に記載の発明では、ランドマーク（例えば、映画館）の情報をディスプレイに表示したり、音声出力したりすることで、ユーザーに現在位置を直感的に把握させようとしている。
【先行技術文献】
【特許文献】
【０００３】
【特許文献１】特開２００２−１１６０３３号公報
【発明の概要】
【発明が解決しようとする課題】
【０００４】
従来のナビゲーションシステムは、「３００ｍ先の交差点を右に曲がって下さい。」等の音声案内を行うため、ユーザーは、右に曲がるべき交差点を直感的に把握できないという問題があった。
【０００５】
本発明の目的は、ユーザーが、進むべき経路を直感的に把握可能とすることである。
【課題を解決するための手段】
【０００６】
第１の発明のナビゲーションシステムは、進むべき経路の情報を、実在する施設を用いて、音声案内することを特徴とする。
【０００７】
本発明では、ナビゲーションシステムは、進むべき経路の情報を、実在する施設を用いて、音声案内する。例えば、ナビゲーションシステムは、進むべき経路の情報（例えば、交差点）を、実在する施設（例えば、店舗「ＡＢＣ電機」）を用いて、音声案内する。例えば、ナビゲーションシステムは、「３００ｍ先のＡＢＣ電機の交差点を右に曲がって下さい。」と音声案内する。このように、進むべき経路の情報が、実在する施設を用いて、音声案内されるため、ユーザーは、直感的に進むべき経路を把握することができる。
【０００８】
第２の発明のナビゲーションシステムは、第１の発明のナビゲーションシステムにおいて、前記施設は、店舗であることを特徴とする。
【０００９】
第３の発明のナビゲーションシステムは、第２の発明のナビゲーションシステムにおいて、前記店舗を用いて、進むべき経路の情報を音声案内した場合、前記店舗の運営元から収益を徴収することを特徴とする。
【００１０】
本発明では、店舗を用いて、進むべき経路の情報を音声案内した場合、店舗の運営元から収益を徴収する。これにより、店舗の運営元から広告収入を得ることができる。
【００１１】
第４の発明のナビゲーションシステムは、第１〜第３のいずれかの発明のナビゲーションシステムにおいて、進むべき経路が、交差点である場合、前記施設のある交差点を通過するように、音声案内することを特徴とする。
【００１２】
第５の発明のナビゲーションシステムは、第２又は第３の発明のナビゲーションシステムにおいて、前記店舗を用いて、進むべき経路の情報を音声案内する場合、追加で、前記店舗の情報を案内することを特徴とする。
【００１３】
第６の発明のナビゲーションシステムは、第５の発明のナビゲーションシステムにおいて、前記店舗の情報を案内した場合、前記店舗の運営元から収益を追加徴収することを特徴とする。
【００１４】
本発明では、店舗の情報を音声案内した場合、店舗の運営元から収益を徴収する。これにより、店舗の運営元から追加広告収入を得ることができる。
【００１５】
第７の発明のナビゲーションシステムは、第６の発明のナビゲーションシステムにおいて、前記店舗が利用された場合、前記店舗の運営元から収益を追加徴収することを特徴とする。
【００１６】
本発明では、店舗が利用された場合、店舗の運営元から収益を徴収する。これにより、店舗の運営元から追加広告収入を得ることができる。
【００１７】
第８の発明のナビゲーションシステムは、第７の発明のナビゲーションシステムにおいて、ＧＰＳに基づいて、利用された店舗を特定することを特徴とする。
【００１８】
第１の発明のナビゲーション方法は、進むべき経路の情報を、実在する施設を用いて、音声案内することを特徴とする。
【発明の効果】
【００１９】
本発明によれば、ユーザーは、直感的に進むべき経路を把握することができる。
【図面の簡単な説明】
【００２０】
【図１】本発明の実施形態に係るナビゲーションシステムの構成を示すブロック図である。
【発明を実施するための形態】
【００２１】
以下、本発明の実施形態について説明する。図１は、本実施形態に係るナビゲーションシステムの構成を示すブロック図である。ナビゲーションシステム１００は、例えば、ナビゲーション装置１と、クラウドサーバー１０と、から構成され、ナビゲーション装置１とクラウドサーバー１０とが協働して、ユーザーをナビゲート（案内）する。なお、ナビゲーション装置１としては、例えば、スマートフォンにナビゲーションアプリケーションがインストールされ、ナビゲーションアプリケーションが実行されることで、スマートフォンがナビゲーション装置１として機能し、ナビゲーションを行うようになっていてもよい。また、例えば、クラウドサーバー１０にナビゲーションアプリケーションがあり、ナビゲーションアプリケーションが実行されることで、スマートフォンがナビゲーション装置１として機能し、ナビゲーションを行うようになっていてもよい。また、ナビゲーション装置１は、ナビゲーションを行う専用の装置であってもよい。
【００２２】
図１に示すように、ナビゲーション装置１は、ＣＰＵ２、メモリ３、ディスプレイ４、操作部５、ネットワークインターフェース（以下、「Ｎ／Ｗ  ＩＦ」という。）６、スピーカー７等を備える。ＣＰＵ（Central Processing Unit）２は、メモリ３に記憶されているプログラムに従って、ナビゲーション装置１を構成する各部を制御する。
【００２３】
メモリ３は、ＣＰＵ２の主メモリとして機能するＲＡＭ（Random Access Memory）、制御プログラムを記憶するＲＯＭ（Read Only Memory）、アプリケーションプログラム、地図データ、音声データ等の各種データを記憶するフラッシュメモリから構成されている。ディスプレイ４は、地図等の種々の画像（静止画像、動画像を含む）を表示するものであり、例えば、ＬＣＤ（Liquid Crystal Display）である。操作部５は、各種設定を受け付けるためのものであり、各種設定を行うための操作キー、及び、ディスプレイ４と連動したタッチパネルを備えている。ユーザーは、操作部５により、目的地の設定等を行うことが可能である。
【００２４】
Ｎ／Ｗ  ＩＦ６は、クラウドサーバー１０と通信を行うためのものである。具体的には、Ｎ／Ｗ  ＩＦ６は、図示しない携帯電話網及び携帯基地局を介してインターネットに接続可能なように構成されており、インターネットを介して、クラウドサーバー１０と通信を行う。スピーカー７は、音声を出力する。
【００２５】
ＣＰＵ２は、操作部５を介して、目的地の設定を受け付けると、ナビゲーションを開始する。ＣＰＵ２は、ＧＰＳ（Global Positioning System）機能を用い、メモリ３に記憶されている地図データ、又は、クラウドサーバー１０上に存在する地図データに基づいて、ナビケーションを行う。本実施形態では、ナビゲーション装置１は、ディスプレイ４を備えており、ディスプレイ４に地図を表示し、スピーカー７から音声を出力して、ナビゲーションを行うことが可能である。これに限らず、ナビゲーション装置１において、ディスプレイ４は、必須ではなく、ナビゲーション装置１は、音声案内のみでナビゲーションを行うようになっていてもよい。
【００２６】
ＣＰＵ２は、ナビゲーションを行っているときに、例えば、進むべき交差点まで３００ｍの位置に達したとき、「３００ｍ先のＡＢＣ電機の交差点を右に曲がって下さい。」と音声案内する。このように、実在する施設を用いて、進むべき経路の情報が音声案内されるため、ユーザーは、直感的に進むべき経路を把握することができる。また、ＣＰＵ２は、進むべき経路が、交差点である場合、施設のある交差点を通過するように、音声案内する。
【００２７】
「３００ｍ先のＡＢＣ電機の交差点を右に曲がって下さい。」の案内文のうち、「ＡＢＣ電機」が、実在する施設である。ここで、「実在する施設」とは、現に存在する施設であって、レストラン、コンビニエンスストア、スーパーマーマーケット、居酒屋、映画館、デパート、百貨店、ガソリンスタンド等の店舗、市役所、県庁、消防署、警察署等の公共施設、テナントビル、駅、看板、等である。
【００２８】
なお、従来のナビゲーションシステムでは、例えば、「３００ｍ先の交差点を右に曲がって下さい。」、「３００ｍ先の北浜１丁目の交差点を右に曲がって下さい。」等と音声案内されるため、曲がるべき交差点が、ユーザーにとって、直感的にわかりにくい。
【００２９】
また、例えば、ＣＰＵ２は、「現在走行中の道をそのまままっすぐ直進し、３００ｍ先のＤＥＦレストランの横を通過してください。」と音声案内し、存在する施設（店舗であるレストラン）を用いて、進むべき経路の情報を音声案内する。ここで、ＣＰＵ２は、店舗（ＡＢＣ電機、ＤＥＦレストラン）を用いて、進むべき経路の情報を音声案内した場合、店舗の運営元から収益を徴収する。これにより、店舗の運営元から広告収入を得ることができる。なお、「収益」は、金銭に限られない。収益を徴収する方法としては、例えば、ＣＰＵ２は、月ごとに、徴収する収益（金銭）を集計し、集計した収益を、店舗の運営元の口座から、ナビゲーションシステム１の運営元の口座に引き落とすことで、収益を徴収する。
【００３０】
ここで、店舗の運営元は、ナビゲーションシステム１の運営元に、店舗を用いて、音声案内をすることを依頼可能であることに加え、店舗の情報の案内を依頼することも可能である。「店舗の情報」は、例えば、特売情報、営業時間、取扱商品の情報等である。ＣＰＵ２は、店舗の情報の案内の依頼を受け付けると、店舗を用いて、進むべき経路の情報を音声案内する場合、追加で、店舗の情報を案内する。ＣＰＵ２は、例えば、店舗の情報をディスプレイ４に表示したり、スピーカー７から音声案内したりする。例えば、ＣＰＵ２は、「ＡＢＣ電機では、テレビの特売中です。」と音声案内する。ＣＰＵ２は、店舗の情報を案内した場合、店舗の運営元から収益を追加徴収する。これにより、店舗の運営元から追加広告収入を得ることができる。
【００３１】
ＣＰＵ２は、店舗の情報を案内し、案内した店舗が利用された場合、店舗の運営元から収益を追加徴収する。これにより、店舗の運営元から追加広告収入を得ることができる。なお、ＣＰＵ２は、例えば、ＧＰＳを用いて、利用された店舗を特定する。
【００３２】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００３３】
上述の実施形態においては、ナビゲーションシステム１００は、ナビゲーション装置１とクラウドサーバー１０とから構成されているが、ナビゲーション装置１のみから構成されていてもよい。
【産業上の利用可能性】
【００３４】
本発明は、ユーザーを目的地等へ案内するナビゲーションシステム、及び、ナビゲーション方法に好適に採用され得る。
【符号の説明】
【００３５】
１  ナビゲーション装置
２  ＣＰＵ
３  メモリ
４  ディスプレイ
５  操作部
６  Ｎ／Ｗ  ＩＦ
７  スピーカー
１０  クラウドサーバー
１００  ナビゲーションシステム
【図１】
2019152469.tif 000003